(57)【要約】【課題】燃料残量検出と燃料濃度検出を１つのセンサによって行い、いかなる方向に燃料電池を置いても安定的に発電を開始、維持可能な携帯型燃料電池及び該携帯型燃料電池の制御方法を提供する。【解決手段】本発明の携帯型燃料電池は、電解質膜を燃料極と酸化剤極とで挟持した構造の膜・電極接合体であるＭＥＡを多段接続し、ＭＥＡの電極部分に燃料を供給するための燃料流路を備えたＭＥＡスタック１００と、ＭＥＡスタック１００に供給する燃料を一時的に滞留させる燃料槽１０２と、燃料槽１０２に着脱可能に接続された燃料カートリッジ１０４と、燃料を燃料カートリッジ１０４から燃料槽１０２へ供給するためのポンプ１０７と、燃料流路中に設置され、燃料の濃度を検出する濃度センサ１０１と、濃度センサ１０１の出力値に基づいてポンプ１０７を制御するコントロールユニット１０３とを有する。【選択図】図１
2008159363.tif 000002
【特許請求の範囲】
【請求項１】
電解質膜を燃料極と酸化剤極とで挟持した構造の膜・電極接合体であるＭＥＡを多段接続し、前記ＭＥＡの電極部分に燃料を供給するための燃料流路を備えた燃料電池スタックと、
前記燃料電池スタックに供給する燃料を一時的に滞留させる燃料槽と、
前記燃料槽に着脱可能に接続された燃料カートリッジと、
燃料を前記燃料カートリッジから前記燃料槽へ供給するための供給手段と、
前記燃料流路中に設置され、燃料の濃度を検出する濃度センサと、
前記濃度センサの出力値に基づいて前記供給手段を制御するコントロールユニットと、を有する携帯型燃料電池。
【請求項２】
前記濃度センサは、前記燃料電池スタックから燃料が排出される燃料排出流路内に設置されている、請求項１に記載の携帯型燃料電池。
【請求項３】
前記燃料槽内には、前記燃料カートリッジからの燃料を前記燃料槽に供給するための流路の前記燃料槽側の端部である燃料注入口と、前記燃料電池スタックから前記燃料槽へと排出される燃料の流路である燃料排出流路の燃料槽側の端部である燃料排出口と、前記燃料槽の燃料を前記燃料電池スタックに供給するための流路の前記燃料槽側の端部である燃料吸入口とが配置されており、前記燃料注入口と前記燃料排出口との間の距離は、前記燃料吸入口と燃料注入口との間の距離、及び前記燃料吸入口と前記燃料排出口との間の距離よりも短い、請求項１または２に記載の携帯型燃料電池。
【請求項４】
前記燃料吸入口は、前記燃料槽の概ね重心に位置する、請求項３に記載の携帯型燃料電池。
【請求項５】
前記燃料排出口は、矩形断面を有する前記燃料槽の対角線のうちの最大長さの少なくとも１／４以上の距離だけ前記燃料吸入口から離れた位置に配置されている、請求項４に記載の携帯型燃料電池。
【請求項６】
前記燃料カートリッジには少なくとも濃度の異なる２種類の燃料が貯留されており、前記供給手段は、各濃度の燃料を個別に前記燃料カートリッジから前記燃料槽へ供給する、請求項１ないし５のいずれか１項に記載の携帯型燃料電池。
【請求項７】
前記濃度センサは、燃料の密度変化あるいは燃料の比重の変化を検出する、請求項１ないし６いずれか１項に記載の携帯型燃料電池。
【請求項８】
前記濃度センサは、燃料内を伝搬する音速の変化を検出する、請求項１ないし６いずれか１項に記載の携帯型燃料電池。
【請求項９】
請求項１ないし８のいずれか１項に記載の携帯型燃料電池の制御方法であって、
前記濃度センサの出力値が濃度１００％以上の値を連続的に示した場合、前記コントロールユニットは、前記燃料電池スタックには燃料が無いと判断し、燃料を前記燃料カートリッジから前記燃料槽に規定の量だけ供給するように前記供給手段を制御する、携帯型燃料電池の制御方法。
【請求項１０】
前記濃度センサの出力値が濃度１００％以上の値と濃度１００％未満の値との間で振動した場合、前記コントロールユニットは、前記出力値の振動周期に応じて前記燃料電池スタック内の燃料の量を推定し、前記推定した燃料の量と前記濃度センサの濃度１００％未満の出力値に基づいて、前記燃料カートリッジから前記燃料槽に規定の量だけ燃料を供給するように前記供給手段を制御する、請求項９に記載の携帯型燃料電池の制御方法。
【請求項１１】
前記燃料カートリッジには濃度の異なる少なくとも２種類の燃料が貯留されており、前記濃度センサの出力値が濃度１００％以上の値を連続的に示した場合、前記コントロールユニットは、前記燃料電池スタックには燃料が無いと判断し、前記燃料カートリッジから前記燃料槽に前記各濃度の燃料を規定の濃度及び規定の量だけ供給するように前記供給手段を制御する、請求項９または１０に記載の携帯型燃料電池の制御方法。
【発明の詳細な説明】
【技術分野】
【０００１】
本発明は、携帯型燃料電池及び該携帯型燃料電池の制御方法に関するもので、特に燃料供給制御に必要となる燃料濃度センサを用いた燃料残量検出に関する。
【背景技術】
【０００２】
燃料電池は、水素ガスやメタノール等の燃料流体と、酸化用流体（空気に含まれる酸素）とを電気化学的に反応させることにより発電を行う発電装置である。例えば、固体高分子型の燃料電池の場合、各発電体部分は、固体高分子からなる電解質膜を酸素側電極と燃料側電極とで挟み込んだ構造をなしており、酸素側電極には酸素を供給するために空気が供給され、燃料側電極には燃料流体が供給され、電気化学的な反応により発電が行われる。
【０００３】
水素ガスを燃料として用いる燃料電池は、発電により生成される生成物が水であり、環境を汚染することがないクリーンな電源として近年注目されている。例えば、電気自動車や住宅用電源システム等、大型のシステムにおいて実用化が期待されている一方、固体高分子型の燃料電池が小型、軽量であるという特徴を生かして、例えばノート型パーソナルコンピュータ等の携帯型電子機器の電源としての応用も検討されている。燃料電池の発電体部分は、電解質膜・電極複合体又はＭＥＡ（Ｍｅｍｂｒａｎｅ  ａｎｄ  Ｅｌｅｃｔｒｏｄｅ  Ａｓｓｅｍｂｌｙ）と呼ばれており、複数の発電セルを直列に電気的接続することでスタック構造の燃料電池が構成されている。
【０００４】
このような携帯型電子機器等に用いられる燃料電池において、水素ガスに比べて取り扱いが容易なメタノールを燃料として用いるダイレクトメタノール方式の燃料電池（ＤＭＦＣ）システムが有利と考えられている。このダイレクトメタノール方式の燃料電池システムでは、電子機器にメタノールで満たした燃料カートリッジを電子機器に装着し、燃料カートリッジ内のメタノールを燃料電池に供給することで発電が行われる。
【０００５】
ダイレクトメタノール型の燃料電池の発電では、
アノード電極：ＣＨ3ＯＨ  ＋  Ｈ2Ｏ  →  ６Ｈ＋  ＋  ６ｅ-  ＋  ＣＯ2
カソード電極：６Ｈ＋  ＋  ６ｅ-  ＋  １．５Ｏ2  →  ３  Ｈ2Ｏ
の反応が起こる。
【０００６】
即ち、アノード電極ではプロトンと電子と二酸化炭素が発生し、電子は外部回路を通ることによって発電に用いられ、二酸化炭素は大気中に排出される。また、プロトンはプロトン導電性電解質を通ってカソード電極に到達する。一方、カソード電極ではアノード電極から到達したプロトンと外部回路を通ってきた電子と空気中の酸素が反応して水が生成される。よって、ＤＭＦＣの生成物は理論的に水と二酸化炭素のみとなり環境にやさしいクリーンなものとして大気中に排出される。
【０００７】
ダイレクトメタノール型燃料電池システム、特に補機を用いて燃料供給を行うアクティブ型では、液体燃料の絶対量およびそれに含まれるメタノールの濃度制御が安定で信頼性の高い発電を行うための重要な要素である。メタノール濃度が低すぎる場合には、十分な量の燃料がＭＥＡに供給されず、発電性能が低下するだけでなくＭＥＡの深刻な劣化をもたらしてしまう。
【０００８】
またメタノール濃度が高すぎる場合には、メタノールがアノード電極で酸化されずにカソード電極に透過するクロスオーバー現象が発生し、発電効率が低下したり触媒電極や電解質材料が燃料中に溶出したりしてしまうという問題も発生する。一方燃料の量が少ない場合は、燃料の濃度が低い場合と同様に還元剤となるメタノールが十分供給されない状態で電流が引かれると、燃料以外の物質を酸化しようとするため、アノード電極の劣化が進行し、ついにはＭＥＡの劣化／損傷に至ってしまう。
【０００９】
そこで液体燃料中のメタノール濃度およびその絶対量を制御することが要求されており、そのためには燃料電池システム中に濃度センサおよび燃料残量センサを設けて、液体燃料に含まれるメタノール濃度および量を把握し制御することが行なわれている。メタノール濃度を測定するための方法としては、ＭＥＡの電圧値から燃料の濃度を算出する方法（特許文献１、図３参照）、超音波の伝播速度の違いを利用して燃料の濃度を算出する方法（特許文献２参照）、燃料の密度（比重）の変化から濃度を算出する方法、ＭＥＡのクロスオーバーによる温度上昇から燃料の濃度を算出する方法、静電容量の違いから燃料の濃度を算出する方法、光学的な屈折率を利用して燃料の濃度を算出する方法などが提案されており、また、低濃度時の限界電流を利用して濃度を測定する例も報告されている。一方燃料残量センサについては、静電容量の変化を検出する方法、光学的な手法で液面の反射位置によって残量を検出する方法、フロートによる位置検出等、液面の位置を検出する場合が多く、燃料の重量を検出する方法もある。
【特許文献１】特公平６−２６１３２号公報
【特許文献２】特開平１１−２３５４１号公報
【発明の開示】
【発明が解決しようとする課題】
【００１０】
通常、燃料電池の始動時は、適切な濃度の液体燃料がＭＥＡへ十分供給された後に発電を開始する必要がある。もっとも、濃度センサで燃料の濃度を検出するにしても、燃料が連続的に濃度センサに供給されなければ、燃料の濃度を測定し、追加する燃料の量及び濃度を決定することは不可能である。従って、燃料電池の始動シーケンスは、まず燃料の残量検出を行い、燃料が不足するようであれば適切な濃度の燃料を供給することから始まり、ついで濃度センサによって濃度を測定し、適正な濃度及び量となるように燃料カートリッジから燃料を供給して、燃料残量及び燃料濃度が規定値に達すると発電準備が完了する。
【００１１】
ここで、液体燃料残量を検出する方法として、その重量を測定すれば最も信頼できる値を得ることができ、燃料電池の設置方向を固定可能な定置型であれば十分実用化可能である。しかしながら携帯機器に適用される小型の燃料電池の場合、いかなる方向に燃料電池が置かれても発電可能とする必要があり、発電システム全体あるいは一部分の重量を測定することは困難となる。また、燃料カートリッジから燃料補給を受け、混合された燃料を燃料電池スタックへ供給し、また、燃料電池スタックより排出される燃料を受ける燃料槽の全容積に対する燃料の量を測定するために、燃料槽に対する燃料液面を検出する方法も、静電容量式、光学式、磁気式等多種存在するが、いかなる方向においてもその燃料の量を測定するためには、傾斜センサと複数の液面センサを組み合わせて計算する必要があり、コントロールユニット内のＣＰＵパワーに対する負荷が増加するとともに大きなコストアップ要因となる。
【００１２】
そこで本発明は、上記課題に鑑み、燃料残量検出と燃料濃度検出を１つのセンサによって行い、いかなる方向に燃料電池を置いても安定的に発電を開始、維持可能な携帯型燃料電池及び該携帯型燃料電池の制御方法を提供することを目的とする。
【課題を解決するための手段】
【００１３】
上記目的を達成するため本発明の携帯型燃料電池は、電解質膜を燃料極と酸化剤極とで挟持した構造の膜・電極接合体であるＭＥＡを多段接続し、ＭＥＡの電極部分に燃料を供給するための燃料流路を備えた燃料電池スタックと、燃料電池スタックに供給する燃料を一時的に滞留させる燃料槽と、燃料槽に着脱可能に接続された燃料カートリッジと、燃料を燃料カートリッジから燃料槽へ供給するための供給手段と、燃料流路中に設置され、燃料の濃度を検出する濃度センサと、濃度センサの出力値に基づいて供給手段を制御するコントロールユニットと、を有する。
【００１４】
本発明の携帯型燃料電池は、コントロールユニットが、燃料カートリッジから燃料槽への燃料の供給量を濃度センサの出力値に基づいて供給手段を制御するため、燃料供給に際して濃度センサ以外のセンサを必要としない。すわなち、本発明の携帯型燃料電池は、燃料残量検出と燃料濃度検出を１つのセンサによって行うことができる。
【００１５】
本発明の携帯型燃料電池の濃度センサは、燃料電池スタックから燃料が排出される燃料排出流路内に設置されているものであってもよい。燃料電池の運転においては、特に低濃度での運転がＭＥＡ性能を損傷する可能性が高い。このため、燃料の濃度が最も低くなる燃料排出流路内の燃料の濃度を測定し、この情報に基づいて燃料電池の運転状態を制御することでシステム全体としての信頼性を向上させることができる。
【００１６】
本発明の携帯型燃料電池の燃料槽内には、燃料カートリッジからの燃料を燃料槽に供給するための流路の燃料槽側の端部である燃料注入口と、燃料電池スタックから燃料槽へと排出される燃料の流路である燃料排出流路の燃料槽側の端部である燃料排出口と、燃料槽の燃料を燃料電池スタックに供給するための流路の燃料槽側の端部である燃料吸入口とが配置されている。そして、燃料注入口と燃料排出口との間の距離は、燃料吸入口と燃料注入口との間の距離、及び燃料吸入口と燃料排出口との間の距離よりも短くなるように設定されている。濃度の低い燃料が排出される燃料排出口及び濃度の高い燃料が供給される燃料注入口を燃料吸入口から離れた位置に設置することで、燃料電池を安定的に動作させることができる。
【００１７】
また、本発明の携帯型燃料電池の燃料吸入口は、燃料槽の概ね重心に位置するものであってもよい。
燃料吸入口は、燃料槽の重心に位置させることで、燃料電池がいかなる姿勢にあっても、燃料槽における容量の半分以上の燃料があれば、燃料供給が滞ることを防止することができる。また、燃料電池の姿勢が変化した場合でも、燃料供給が滞る時間を最小とすることができる。
【００１８】
また、本発明の携帯型燃料電池の燃料排出口は、矩形断面を有する燃料槽の対角線のうちの最大長さの少なくとも１／４以上の距離だけ燃料吸入口から離れた位置に配置されているものであってもよい。
【００１９】
また、本発明の携帯型燃料電池の燃料カートリッジには濃度の異なる少なくとも２種類の燃料が貯留されており、供給手段は、各濃度の燃料を個別に燃料カートリッジから燃料槽へ供給するものであってもよい。この場合、必要に応じて適正な濃度の燃料を適正量注入することができ、かつ燃料の濃度を連続的に変化させることができるので外部環境変化に対して追従性が高く、信頼性に優れた携帯型燃料電池を提供することが可能となる。
【００２０】
また、本発明の携帯型燃料電池の濃度センサは、燃料の密度変化あるいは燃料の比重の変化を検出するものであってもよいし、さらには燃料内を伝搬する音速の変化を検出するものであってもよい。これらの検出方法による濃度センサを用いることで燃料の濃度が１００％以上となった場合であっても濃度センサからの出力値を得ることができる。
【００２１】
本発明の携帯型燃料電池の制御方法は、本発明の携帯型燃料電池の制御方法であって、濃度センサの出力値が濃度１００％以上の値を連続的に示した場合、コントロールユニットは、燃料電池スタックには燃料が無いと判断し、燃料を燃料カートリッジから燃料槽に規定の量だけ供給するように供給手段を制御する。
【００２２】
また、本発明の携帯型燃料電池の制御方法は、濃度センサの出力値が濃度１００％以上の値と濃度１００％未満の値との間で振動した場合、コントロールユニットは、出力値の振動周期に応じて燃料電池スタック内の燃料の量を推定し、推定した燃料の量と濃度センサの濃度１００％未満の出力値に基づいて、燃料カートリッジから燃料槽に規定の量だけ燃料を供給するように供給手段を制御するものであってもよい。
【００２３】
以上のとおり、本発明の携帯型燃料電池の制御方法は、濃度センサによって、燃料の濃度のみならず、燃料の残量の検出も行うため、燃料供給に際して濃度センサ以外のセンサを必要としない。
【００２４】
また、本発明の携帯型燃料電池の制御方法は、燃料カートリッジには濃度の異なる少なくとも２種類の燃料が貯留されており、濃度センサの出力値が濃度１００％以上の値を連続的に示した場合、コントロールユニットは、燃料電池スタックには燃料が無いと判断し、燃料カートリッジから燃料槽に各濃度の燃料を規定の濃度及び規定の量だけ供給するように供給手段を制御するものであってもよい。この場合、
複数の種類の濃度の燃料を使用し、必要に応じて適正な濃度の燃料を適正量注入することができ、かつ燃料の濃度を連続的に変化させることができるので外部環境変化に対して追従性が高く、信頼性に優れた携帯型燃料電池を提供することが可能となる。
【発明の効果】
【００２５】
燃料の濃度センサを利用して燃料の残量検出が可能となるため、別の燃料残量センサが不要であり、かつ燃料電池がいかなる方向に置かれても燃料電池スタック内の燃料の量を推定可能であるため、燃料電池による発電を安定的に維持することが可能となる。
【発明を実施するための最良の形態】
【００２６】
次に、本発明の実施の形態について図面を参照して詳細に説明する。
（第１の実施形態）
図１は、本実施形態の携帯型燃料電池の構成図である。また、図２は、本実施形態の携帯型燃料電池における燃料吸入口、燃料排出口、燃料注入口の位置関係を示す図である。また、図３は、濃度センサの出力変動の一例を示すグラフである。
【００２７】
電解質膜を燃料極と酸化剤極とで挟持した構造の膜・電極接合体であるＭＥＡが多段直列あるいは並列接続されたＭＥＡスタック１００は、カソード側に送風ファン１０５によって空気中の酸素が供給され、アノード側には、燃料槽１０２に貯蔵された液体燃料、ＤＭＦＣではメタノールが、ポンプ１０６によって供給される。燃料を貯蔵し、着脱可能な燃料カートリッジ１０４は、ポンプ１０７を介して接続される。燃料カートリッジ１０４内の燃料は、燃料槽１０２中の液体燃料が規定値以下になった場合にポンプ１０７が動作することで燃料槽１０２へと燃料が供給される。燃料カートリッジ１０４側からの燃料供給に際して、燃料槽１０２の内圧が上昇し、燃料供給圧力が上昇することによるＭＥＡへの損傷を回避するために、内圧調整機構１０８が設けられている。
【００２８】
さらに液体燃料の比重、密度あるいは音速を検出する濃度センサ１０１がＭＥＡスタック１００からの燃料を燃料槽１０２へ戻す燃料排出流路中に設けられている。コントロールユニット１０３は濃度センサ１０１の出力値に応じて、送風ファン１０５、ポンプ１０６、１０７等の補機類を動作させる。濃度センサ１０１が燃料排出流路中に設けられているのは、以下の理由による。燃料電池の運転においては、特に低濃度での運転がＭＥＡ性能を損傷する可能性が高い。つまり、燃料の濃度が最も低くなる燃料排出流路内の燃料の濃度を測定し、この情報に基づいて燃料電池の運転状態を制御することでシステム全体としての信頼性を向上させるためである。
【００２９】
次に、燃料吸入口、燃料排出口、燃料注入口の位置関係について図２を用いて説明する。なお、図１に示した携帯型燃料電池とはレイアウトは異なるが、同じ携帯型燃料電池である。
【００３０】
燃料槽１０２の燃料をＭＥＡスタック１００に供給するための流路の燃料槽１０２側の端部である燃料吸入口１２０は燃料槽１０２の概ね重心位置に配置されている。燃料吸入口１２０が燃料槽１０２の重心位置に配置されることで、燃料電池がいかなる姿勢にあっても、燃料槽１０２における容量の半分以上の燃料があれば、燃料供給が滞ることはない。また、燃料電池の姿勢が変化した場合でも、燃料供給が滞る時間を最小とすることができる。
【００３１】
ＭＥＡスタック１００から燃料槽１０２へと排出される燃料の流路である燃料排出流路の燃料槽１０２側の端部である燃料排出口１１６は、燃料吸入口１２０から離れた位置に配置されている。また、燃料カートリッジ１０４からの燃料を燃料槽１０２に供給するための流路の燃料槽１０２側の端部である燃料注入口１１７も燃料吸入口１２０から離れた位置に配置されている。これら燃料排出口１１６及び燃料注入口１１７を燃料吸入口１２０より離れた位置に設置するのは、燃料槽１０２中の燃料の濃度を可能な限り均一化し、燃料電池を安定的に動作させるためである。燃料排出口１１６からは濃度の低い燃料が排出される。一方、燃料注入口１１７は濃度の高い燃料が供給される。仮に、このように濃度差の高い燃料が燃料吸入口１２０に供給されると、燃料槽１０２中の平均的な燃料の濃度に対して大きく異なる燃料が濃度センサ１０１によって検出される。そして、濃度センサ１０１の検出結果に基づき、コントロールユニット１０３からの制御信号に基づき、ポンプ１０６、１０７等の補機類が動作することとなるが、実際の燃料の濃度が大きく変動するため、燃料電池を安定的に動作させることが困難となる。そこで、このような不具合を防止するため、上述したように燃料吸入口１２０及び燃料注入口１１７を燃料吸入口１２０より離れた位置に設置している。
【００３２】
燃料吸入口１２０と、燃料排出口１１６及び燃料注入口１１７の、燃料槽１０２内での間隔は、燃料吸入口１２０が概燃料槽１０２の重心に設置されるため、最も効果が期待できるのは矩形断面形状の燃料槽１０２の場合、槽内で最も離れた位置となる、概ね対角線距離の１／２の位置であるが、少なくとも対角線距離の１／４以上離れていれば、十分な効果が得られる。また、別の効果として、燃料排出口１１６と燃料注入口１１７を接近させることによって、濃度の異なる燃料をより早く均一に混合することが可能になる。
【００３３】
次に、図１、図２に示したような構成を有するダイレクトメタノール型燃料電池において、密度あるいは濃度あるいは音速検出型濃度センサを使用した場合の濃度出力値の典型的な変化を示すグラフを図３に示す。
【００３４】
燃料電池の運転を開始した時、濃度表示が１００％を超えている部分は、１００％メタノールより軽い物質、具体的には空気が混入していることを示している。したがって、この値が一定期間連続的に続く場合には、コントロールユニット１０３は、ＭＥＡスタック１００には燃料が無いものと判断し、燃料カートリッジ１０４より燃料注入を開始する。
【００３５】
一方、燃料の濃度が振動し始めた領域は、ある姿勢において、燃料槽１０２内での燃料液面が燃料吸入口１１５に達したことを示している。図３では、濃度センサ１０１の出力値が１００％以上の値と、０％〜１００％以内の値の間で振動している。この時点では、燃料槽１０２内の燃料は燃料電池を安定的に発電できる量にまでは達していないが、単位時間あたりの燃料供給量を減じることで燃料供給のオーバーシュートを抑制できることから、燃料槽１０２の容積を小型化することが可能となる。なお、燃料の濃度の振動周期に応じてＭＥＡスタック１００内の燃料の量を推定し、その推定量と濃度センサの０％〜１００％内の出力値に応じて、燃料カートリッジ１０４より、燃料を規定の濃度及び燃料の量だけ供給するようにコントロールユニット１０３はポンプ１０６、１０７を制御するようにしてもよい。この場合、コントロールユニット１０３には、予め、燃料の濃度の振動周期に対応するＭＥＡスタック１００内の推定燃料の量のマップを記憶保持させておく。
【００３６】
濃度センサ１０１の出力値が０％〜１００％以内の濃度を示すようになると、ＭＥＡスタック１１０への燃料供給は十分となり、発電開始可能な状態になる。しかしながら、実際にこの状態から発電を開始すると、発電による燃料減少によって、すぐに濃度センサ１０１の出力が振動し始めるため、所定の燃料の量を更に加えた段階で燃料供給を停止し発電を開始するほうが好ましい。この場合も、予めコントロールユニット１０３に記憶保持された燃料の量のマップに基づき、燃料が補給される。
【００３７】
なお、以上のような始動シーケンスを行った後、燃料電池の姿勢を変化させると、燃料吸入口１１５が燃料槽１０２の概ね重心位置にない場合、やはり濃度センサ１０１の出力が振動し始めるが、その場合は上述したシーケンスと同様の燃料補給を行うことによって、安定な発電状態に速やかに移行することができる。
【００３８】
なお、本実施形態の濃度センサによる濃度の検出方法は、ＭＥＡの電圧値から燃料の濃度を算出する方法、超音波の伝播速度の違いを利用して燃料の濃度を算出する方法、燃料の密度（比重）の変化から濃度を算出する方法、ＭＥＡのクロスオーバーによる温度上昇から燃料の濃度を算出する方法、静電容量の違いから燃料の濃度を算出する方法、光学的な屈折率を利用して燃料の濃度を算出する方法などであってもよい。
【００３９】
特に本実施形態の場合、濃度センサ１０１は、出力値が１００％を超える場合についても検出する必要があることから、燃料の密度（比重）の変化から濃度を算出するタイプのセンサ、あるいは燃料内を伝搬する音速の変化から濃度を算出するタイプのセンサを用いることが好ましい。これ以外のセンサの場合、出力値が１００％を超える場合、濃度を検出できない場合があるからである。
【００４０】
以上、本実施形態によれば、燃料残量検出と燃料濃度検出を１つの濃度センサによって行うので、コントロールユニット内のＣＰＵパワーに対する負荷の低減及びコストダウンを図ることができる。また、燃料吸入口が燃料槽の重心位置に配置されることで、燃料電池がいかなる姿勢にあっても、燃料槽における容量の半分以上の燃料があれば、燃料供給が滞るのを防止することができる。
（第２の実施形態）
図４は、本実施形態の携帯型燃料電池の構成図である。
【００４１】
本実施形態の基本的な燃料電池システム構成は図１に示した構成と同様であるが、燃料カートリッジ２０４が、定常運転時の濃度より高い濃度の燃料、及び定常運転時の濃度より低い濃度の燃料の２種類を貯留可能なように分割されている点で異なる。基本的な始動シーケンスも上述した第１の実施形態とほぼ同一であるが、燃料カートリッジ２０４から注入する燃料の濃度のみ異なる。なお、以下の説明では、第１の実施形態と同じ構成部品には第１実施形態の説明で用いた符号と同じ符号を用いて説明する。
【００４２】
燃料カートリッジ２０４の定常運転時の濃度より高い濃度の燃料はポンプ１０７ａが稼働することで燃料槽１０２に供給される。一方、定常運転時の濃度より低い濃度の燃料はポンプ１０７ｂが稼働することで燃料槽１０２に供給される。
【００４３】
燃料電池を始動させたときに、濃度センサ１０１の出力値が図３に示すような濃度変化を示し、燃料電池の始動時から濃度表示が１００％を超える値を示し、燃料流路にほぼ気体が充満していると判断される場合には、以下の制御が行われる。すわなち、この場合、コントロールユニット１０３は、定常的な発電を行う場合の濃度となる燃料を供給するよう、ポンプ１０７ａ、１０７ｂを制御することで２種類の燃料供給比率を変えて燃料を燃料槽１０２へ供給する。
【００４４】
続いて濃度センサ１０１からの出力値が振動し始めると、コントロールユニット１０３は、ポンプ１０７ａ、１０７ｂを制御して燃料供給量を徐々に減じ、さらに燃料の濃度を定常発電時の濃度に近づける。
【００４５】
最後に濃度センサ１０１の出力値の振動が停止してから、さらに同じ濃度の燃料を規定値だけ加えて燃料供給を停止した後、発電を開始する。
【００４６】
また、定常発電時において、燃料電池の姿勢が変化した場合においても同様のシーケンスによって、燃料供給を行うことによって安定な発電状態を維持することが可能となる。
【００４７】
以上、本実施形態によれば第１の実施形態と同様に、燃料残量検出と燃料濃度検出を１つの濃度センサによって行うので、コントロールユニット内のＣＰＵパワーに対する負荷の低減及びコストダウンを図ることができる。また、燃料吸入口が燃料槽の重心位置に配置されることで、燃料電池がいかなる姿勢にあっても、燃料槽における容量の半分以上の燃料があれば、燃料供給が滞るのを防止することができる。
【００４８】
また、本実施形態の場合、２種類の濃度の燃料を使用し、必要に応じて適正な濃度の燃料を適正量注入することができ、かつ燃料の濃度を連続的に変化させることができるので外部環境変化に対して追従性が高く、信頼性に優れた携帯型燃料電池を提供することが可能となる。
【００４９】
なお、本実施形態では燃料カートリッジに貯留された燃料の濃度は２種類としたが、３種類以上であってもよい。
【図面の簡単な説明】
【００５０】
【図１】本発明の第１の実施形態を示す携帯型燃料電池の構成図である。
【図２】本発明の第１の実施形態における、燃料吸入口、燃料排出口、燃料注入口の位置関係を示す図である。
【図３】本発明の第１の実施形態における、濃度センサの出力変動を示すグラフである。
【図４】本発明の第２の実施形態を示す携帯型燃料電池の構成図である。
【符号の説明】
【００５１】
１００    ＭＥＡスタック
１０１    濃度センサ
１０２    燃料槽
１０３    コントロールユニット
１０４    燃料カートリッジ
１０５    送風ファン
１０６、１０７、１０７ａ、１０７ｂ    ポンプ
１０８    内圧調整機構
１１６    燃料排出口
１１７    燃料注入口
１２０    燃料吸入口
【図１】
2008159363.tif 000003
【図２】
2008159363.tif 000004
【図３】
2008159363.tif 000005
【図４】
2008159363.tif 000006